(57)【要約】【課題】  乾燥風を循環供給する循環風路を利用して捕獲したリントを、自動的に水洗いによる清掃が可能で、且つコンパクトな構成にて提供する。【解決手段】  衣類等の洗濯および乾燥を行なう水槽３やドラム４を備え、乾燥行程時には途中に圧縮機１８、蒸発器２０、凝縮器１９等からなるヒートポンプ機構、および送風ファン２１を介在した循環風路１３を経て前記ドラム４内に乾燥風を循環供給する構成としたものにおいて、前記循環風路１３中にあって前記蒸発器２０の上流側に位置してリントフィルタ２２を設けるとともに、このリントフィルタ２２に捕獲されたリントを洗い流す注水ノズル２３を備え、該注水ノズル２３は前記リントフィルタ面に沿って注水する構成とする。【選択図】  図１
2006187449.tif 000002
【特許請求の範囲】
【請求項１】
衣類等の洗濯および乾燥を行なう洗濯槽を備え、乾燥行程時には途中に圧縮機、蒸発器、凝縮器等からなるヒートポンプ機構、および送風ファンを介在した循環風路を経て前記洗濯槽に乾燥風を循環供給する構成としたものにおいて、
前記循環風路中にあって前記蒸発器の上流側にリントフィルタを設けるとともに、このリントフィルタに捕獲されたリントを洗い流す水洗い手段を備え、該水洗い手段は上方から前記リントフィルタ面に沿って注水する構成としたことを特徴とする洗濯乾燥機。
【請求項２】
蒸発器に対する他の水洗い手段を備え、この水洗い手段は該蒸発器の上流側端面に沿って上方から注水する構成としたことを特徴とする請求項１記載の洗濯乾燥機。
【請求項３】
水洗い手段は、加熱乾燥の終了後に実行することを特徴とする請求項１または２記載の洗濯乾燥機。
【請求項４】
水洗い手段は、循環風路の送風を停止した状態で実行することを特徴とする請求項１ないし３のいずれかに記載の洗濯乾燥機。
【請求項５】
水洗いした水を機外に排水する前段に、その排水中からリントを捕獲するためのフィルタ装置を設けたことを特徴とする請求項１ないし４のいずれかに記載の洗濯乾燥機。
【請求項６】
水洗い手段の実行後に、循環風路中を送風する行程を設けたことを特徴とする請求項１ないし５のいずれかに記載の洗濯乾燥機。
【発明の詳細な説明】
【技術分野】
【０００１】
本発明は、洗濯および乾燥機能を有し、特に乾燥風を生成すべくヒートポンプ機構を採用した洗濯乾燥機に関する。
【背景技術】
【０００２】
従来、この種洗濯乾燥機として、例えばドラム式の洗濯乾燥機では、衣類等は回転可能なドラム内に収容され、洗い，すすぎ，脱水等の洗濯行程、および乾燥行程を自動的に運転、或いは選択的に運転可能としている。そして、特に乾燥行程において乾燥に供する熱エネルギーの効率化を図るべく、空気を所定温度に加熱した乾燥風をドラム内に循環供給可能としている。そのために、ドラムの乾燥風の出入口に連通接続された循環風路を形成するとともに、その途中部位に乾燥風の熱源でもあるヒートポンプ機構を設け、以って循環する空気（送風）に対し、熱交換により除湿する蒸発器、および同じく加熱する凝縮器を経て乾燥風を生成する構成としている。
【０００３】
しかるに、上記循環構成では所謂機外に排気することなく衣類等の乾燥作用を行なうもので、特に洗濯行程にて生じた糸屑等のリントが乾燥風に乗って浮遊し、循環風路内を流れることになる。この状態では、リントが蒸発器等に絡まり循環風量の低下や熱交換による除湿性能の低下等を来たし、当然長期使用はできない。また、循環風路が機外に直接連通した構成でもないこともあって、機外から脱着可能なリントフィルタなどを容易に配置することもできない。
【０００４】
一方、上記洗濯乾燥機の構成に係らずリントフィルタを機外から脱着可能に設けること自体容易ではないとともに、その捕獲されたリントの清掃作業は面倒なものであり、しかもこれを怠った場合には上記の如く風量の低下などの不具合を招く。そこで、近年リントフィルタに捕獲されたリントを自動的に清掃できる手段が考えられていて、例えば空気通路中に水平状態にリントフィルタを設け、このリントフィルタ面に対し空気流とは逆方向の上方から水を噴射し、該リントフィルタに付着したリントを洗い流すようにし、以って清掃する手間を省き使い勝手をよくしたとする提案がなされている（例えば、特許文献１参照）。
【特許文献１】特開２００４−１３５７５５号公報
【発明の開示】
【発明が解決しようとする課題】
【０００５】
上記構成によれば、ドラム式洗濯乾燥機に特許文献１に記載のリントの水洗い手段を採用することで、循環風路がリントにより狭められることなく所期の風量を長期確保できることが期待される。しかしながら、上記水洗い手段では空気流とは逆方向から水を噴射する条件設定であること、および水平にリントフィルタ面を配設し且つ該フィルタ面に対向して広い範囲にいきわたる水の拡散噴射手段を必要とし、更にそのためにフィルタ面と噴射手段との間に所定の離間距離を要するなど、水平方向および高さ方向において相当なスペースを必要とする。このことは、フィルタの目詰まりを防いだり風量の低下を防ぐべくフィルタ面積を大きくするほど、広いスペース空間を必要とし、しかも更には上記循環風路を具備した洗濯乾燥機にあっては、その内部に配設するのはスペース的に容易ではなく、コンパクト化指向の要請に応えられないなどの問題を有する。
【０００６】
本発明は、上記問題点を解決するために、コンパクト化が可能でリントの清掃も容易な水洗い手段を備えた洗濯乾燥機を提供することを目的とする。
【課題を解決するための手段】
【０００７】
上記目的を達成するために、本発明の洗濯乾燥機は、衣類等の洗濯および乾燥を行なう洗濯槽を備え、乾燥行程時には途中に圧縮機、蒸発器、凝縮器等からなるヒートポンプ機構、および送風ファンを介在した循環風路を経て前記洗濯槽に乾燥風を循環供給する構成としたものにおいて、前記循環風路中にあって前記蒸発器の上流側にリントフィルタを設けるとともに、このリントフィルタに捕獲されたリントを洗い流す水洗い手段を備え、該水洗い手段は上方から前記リントフィルタ面に沿って注水する構成としたことを主たる特徴とするものである。
【発明の効果】
【０００８】
上記手段によれば、リントフィルタ面に沿って注水し捕獲されたリントを洗い流すようにしたので、水洗い手段として広く拡散注水する必要はなく、またリントフィルタと注水手段を対向離間して設けるなどの必要もないなど、コンパクトな構成にてリントを自動的に清掃することができ、熱エネルギーの効率化を図るべき乾燥風の循環風路を備えた構成にあってもスペース的にも容易に配置できる洗濯乾燥機を提供できる。
【発明を実施するための最良の形態】
【０００９】
（第１の実施の形態）
以下、本発明をドラム式の洗濯乾燥機に適用して示す第１実施例につき、図１ないし図６を参照して説明する。まず、図１に示す洗濯乾燥機の全体構成を示す縦断側面図に基づき説明すると、洗濯乾燥機は洗い，すすぎ，脱水および乾燥運転を自動的に、或いは選択的に運転可能としており、該洗濯乾燥機の外殻をなす大略矩形箱状の筐体１は、その前面中央に洗濯物を出し入れする投入口１ａを形成し、この投入口１ａを開閉するドア２を備えている。なお、ドア２の背面は後述するドラム４の前面開口に達する凸面部２ａを有し、また前記投入口１ａは、後述するドラムの傾斜配置に合わせて筐体１前面の上半部とともにやゝ前方（図示右方）上向きに指向して形成されている。
【００１０】
そして筐体１の内部には、洗濯槽として前後方向に円筒状をなす水槽３および横軸周りのドラム４が配設されている。そのうち、水槽３は前面側である右方を向いて大きく開口している以外は本来的に無孔状で貯水可能な構成とし、且つ若干前上がりの傾斜状態に弾性支持装置（図示せず）を介して弾性支持されている。一方、ドラム４は上記水槽３の内部に同形態の円筒状をなし、その回転軸心が具体的には前方上向きに傾斜した状態で回転可能に配設されている。このドラム４は、やはり前面側を大きく開口するとともに、周壁に多数の透孔４ａや複数のバッフル４ｂ（１個のみ図示）等を形成していて、回転駆動されることで洗いやすすぎのほか、脱水および乾燥に共用の洗濯槽として機能する。
【００１１】
しかして、水槽３およびドラム４の各前面開口は、いずれも同方向に連通開口して形成され、その略延長線上に前記筐体１の投入口１ａが位置し、これらを通して洗濯物をドラム４に対し出し入れ可能としている。なお、筐体１の投入口１ａと水槽３の前面開口との間には、弾性的なベロー５が水密に連結され、水槽３側から筐体１内への水の漏洩等を防止している。
【００１２】
前記水槽３の背面部中央には、ドラム４を回転駆動するモータ６が配設されている。このモータ６は、例えばアウタロータ形のＤＣブラシレスモータであり、そのロータに連結され傾斜した回転軸心の回転軸７が、水槽３を貫通してドラム４の背面部中央に連結されている。従って、モータ６が通電駆動されると、そのロータと一体にドラム４が回転する構成にある。また、水槽３底面の後方最下部には、排水口８が形成され途中に排水弁９を備えた槽排水管１０が連通接続され、その先端側は詳細は後述するがフィルタ装置１１を介して機外たる筐体１から外部に導出された主排水管１２を経て、所定の排水場所に排水可能としている。
【００１３】
一方、本実施例では水槽３の背面から下方を通り前面にかけて連通した循環風路１３を設けている。この循環風路１３は、衣類等を加熱乾燥させるための乾燥風を水槽３を介してドラム４内に循環供給するもので、乾燥風は図中に矢印方向で示すようにドラム４の前面側開口から内部に供給され、衣類等を乾燥しながら後方の水槽３の背面から排出される構成としている。
【００１４】
具体的には、循環風路１３は水槽３の前後面に夫々配設され、且ついずれも上方部位に連通接続された給気ダクト１４および排気ダクト１５を有し、これら両ダクト１４，１５の他端を下方の筐体１側に配設した熱交換ダクト１６に伸縮部１７ａ，１７ｂを介して接続された構成からなる。特に、上記熱交換ダクト１６には後述するように乾燥風を効率よく生成するためのヒートポンプ機構、送風手段、更にはリント捕獲手段およびリントの清掃手段を配備している。
【００１５】
そのうち、まずヒートポンプ機構につき概述すると、これは周知のように筐体１内に設置された圧縮機１８により、冷媒が凝縮器１９、図示しないキャピラリチューブ（絞り）、蒸発器２０の順に循環する構成からなり、その機能は凝縮器１９にて循環する空気を加熱して乾燥風を生成し、送風ファン２１により給気ダクト１４を経てドラム４内に送り込まれ、内部の衣類等を乾燥する。乾燥に寄与した後の水分を含む空気は、排気ダクト１５から熱交換ダクト１６に回収され、ここで蒸発器２０で冷却除湿され、再び凝縮器１９に至り加熱されて乾燥風として再利用され、排気されることなく熱エネルギーの有効活用が行なわれる。
【００１６】
次いで、上記リントの捕獲手段および清掃手段につき述べると、ヒートポンプ機構の上流側である蒸発器２０と若干離間した上流側に位置して、熱交換ダクト１６の断面矩形の通路を遮断するようにリントフィルタ２２が装備されている。その具体構成は後述するが、当然ながら十分な通気性を確保した上で、浮遊状態で流れてきたリントを捕獲可能とするものである。そして、このリントフィルタ２２の上流側の縦面に沿って注水可能とした注水ノズル２３を備え、捕獲されたリントを清掃すべく洗い流すようにした所謂水洗い手段を設けている。このため、注水ノズル２３には注水管２４が接続され、他端は筐体１内の上部に設けられた給水弁ユニット２５に接続され、水道水を供給可能としている。
【００１７】
なお、上記給水弁ユニット２５には、洗濯槽たる水槽３およびドラム４内に給水するための給水管２６が接続されていて、図示しない制御装置により選択的に開閉制御され、上記注水管２４および給水管２６に夫々送水可能としている。このように、リントフィルタ２２やヒートポンプ機構を配した熱交換ダクト１６は、図１からも明らかなように途中に段差を有するが全体に上流側（反矢印側）に向かって下降傾斜した形態をなしている。
【００１８】
しかるに、上記水洗い手段による排水手段として、前記リントフィルタ２２の近傍の少なくとも上流側にあって熱交換ダクト１６の最低部位に水抜き口２７が形成され、これにダクト排水管２８が接続され、更に排水弁２９を介して前記主排水管１２に連通接続されている。従って、前記槽排水管１０とダクト排水管２８は夫々の排水弁９，２９を経て合流し、主排水管１２から機外に排水可能な構成にある。また、前記した蒸発器２０により除湿された水分も、滴下した後に熱交換ダクト１６の傾斜下面に沿って流下し、上記水抜き口２７から同様に機外に排出される。
【００１９】
ここで、前記したフィルタ装置１１につき述べると、これは主排水管１２の途中部位に介在され、その排水中からリントを捕獲できるように例えば格子状のフィルタ部材３０を備えている。このフィルタ部材３０を機外から挿脱可能に収容するフィルタケース３１は、一端が筐体１の前面に開口し、他端の内方端側が主排水管１２の途中部位に交差するように連通接続された構成としている。しかも、このフィルタケース３１は筐体１の前面に向かって斜めに上昇し、その機外となる開口にはフィルタ部材３０の蓋部３０ａが水密に閉鎖可能としている。
【００２０】
しかして、図２ないし図６には、前記した熱交換ダクト１６のヒートポンプ機構の前段（上流側）に配備されたリントフィルタ２２、および水洗い手段たる注水ノズル２３の各具体構成につき開示している。そのうち、図２ないし図４に示すリントフィルタ２２の構成につき述べると、全体形状としては矩形状の枠部３２を外郭となし、これは熱交換ダクト１６に装着すべく通路の断面形状に沿う大きさ、および形状としている。そして、この枠部３２の上下部に固着された多数の細いワイヤ部材３３が縦方向（上下方向）に設けられている。このワイヤ部材３３は、例えば樹脂糸或いは金属線等により形成され、樹脂製の枠部３２の成形時に或いは成形後に熱溶着等の適宜の固着手段により所定の小ピッチで多数並んで配設されている。従って、この縦方向に並列状態のワイヤ部材３３はスリット状の細い目を構成し、熱交換ダクト１６内の十分な通気性を確保するとともに、空気中に浮遊するリントを捕獲可能としている。
【００２１】
なお、本実施例では枠部３２のうち下部枠３２ａは、特に図４に熱交換ダクト１６の一部を含む縦断面図に示すようにやゝ薄く形成されていて、その上面（内面）側に補強金具３４が添設されている。しかも、この上面は熱交換ダクト１６の下面とほぼ面一で、且つ上流側に下降する傾斜面となるように組み込まれる。従って、熱交換ダクト１６の下面を流下してきた水は、この下枠部３２ａが妨げとなることなく、これを乗り越えスムースに流れる組立構成としている。
【００２２】
そして、図２中に二点鎖線で示すように水洗い手段を構成する前記注水ノズル２３が、リントフィルタ２２の上枠部３２ｂ近傍に配設されている。まず、注水ノズル２３の単体の構成につき図５，６を参照して説明する。この注水ノズル２３は、一端が前記注水管２４が接続された細長円筒状の筒状部２３ａと、この筒状部２３ａからその長手方向に沿って突設され長くて扁平な矩形の開口部３５を有する同じく矩形の注水口部２３ｂとから構成されている。なお、筒状部２３ａの閉端部にはキャップ２３ｃが嵌合され、成形時の長い筒状部２３ａの圧力変形を防ぎ、一方開口部３５の長手方向の複数箇所には整流板３５ａを内設している。この構成により、注水ノズル２３の筒状部２３ａに達した水は、長くて扁平な開口部３５にて絞られ、且つ整流板３５ａにて長手方向に均一な薄い水膜状となって噴射可能としている。
【００２３】
しかして、斯かる構成の注水ノズル２３は、図２に開示したように注水口部２３ｂをリントフィルタ２２の上枠部３２ｂと平行に沿うように配設し、つまりは上方に位置する開口部３５からワイヤ部材３３の上流側の縦方向のフィルタ面に沿って水膜状に噴射注水できる配置構成とするもので、この場合、開口方向を若干フィルタ面に指向して傾斜した位置設定としてもよい。従って、注水ノズル２３は例えば図１に示すように、熱交換ダクト１６の上面から注水口部２３ｂを水密に突出させた構成にて設けている。
【００２４】
次に、上記構成のドラム式洗濯乾燥機の作用について説明する。
例えば標準コースとして、周知のようにドラム４の回転速度の制御に基づき洗い、すすぎ、脱水、乾燥の各行程が自動的に実行され、ドラム４に対する衣類等（図示せず）の出し入れは、やゝ前方上向き投入口１ａから容易にできる。そのうち、洗いやすすぎでは排水弁９は閉じられ水槽３やドラム４内に貯水されるが、循環風路１３には上方部位において開口連通した構成なので、所謂洗濯水が浸入することはない。また、排水時には排水弁９は開放するがダクト排水管２８の排水弁２９は閉じた状態にあって、やはり循環風路１３内に浸入することはない。更には、前記乾燥行程においては、上記排水弁２９を開放するとともに、衣類等を加熱乾燥するための乾燥風をヒートポンプ機構を利用して生成し、該乾燥風を循環風路１３を介してドラム４内に循環供給するようにして熱エネルギーの効率化を図った乾燥運転が行なわれる。
【００２５】
以下、更に乾燥行程につき詳述すると、図１においてドラム４は低速回転せられヒートポンプ機構により生成された乾燥風は、送風ファン２１により循環風路１３中を図中矢印方向に流れ、給気ダクト１４を経てドラム４の前面開口から内方に円滑に供給される。この乾燥風は、内部の衣類等と接触し水分を奪う乾燥作用を行なった後、ドラム４および水槽３の後方の排気ダクト１５を経て熱交換ダクト１６に至り、ヒートポンプ機構により除湿され、そして加熱されて適正な乾燥風として再生され、ドラム４内への循環供給が繰り返し実行される。
【００２６】
ここで、ヒートポンプ機構の熱交換作用につき改めて説明すると、凝縮器１９では圧縮機１８により冷媒が圧縮されて高温高圧の冷媒となり、熱交換ダクト１６を流れる空気との間で熱交換がなされ、このとき空気は加熱されて乾燥風となる。しかる後、冷媒は図示しないキャピラリチューブを経て膨張し蒸発器２０に供給され、乾燥に寄与した後の湿った空気と熱交換され蒸発する。このときの蒸発潜熱は、空気から与えられることから空気は冷却され、飽和蒸気量が少なくなり該空気中の過飽和蒸気が結露する。この結露した水は蒸発器２０を伝って滴下し、所謂除湿水として水抜き口２７からダクト排水管２８、排水弁２９、および主排水管１２を経て機外に排出される。
【００２７】
しかるに、特に洗いやすすぎ等では衣類等から糸屑などのリントが発生し易く、これが乾燥行程に至り遊離し乾燥風の流れに乗って浮遊する。ところが、熱交換ダクト１６においてヒートポンプ機構の前段である上流側にリントフィルタ２２を配設しているので、リントは該リントフィルタ２２で捕獲され、これより先の蒸発器２０や凝縮器１９等が有する伝熱（放熱）フィン等に引っ掛かり風量低下などのおそれはない。このように、乾燥行程では乾燥風を循環供給しながら、空気中に浮遊したリントを捕獲する。
【００２８】
そして、本実施例では上記加熱乾燥の行程が終了する都度、リントの清掃行程が所定時間実行される。すなわち、この清掃行程では注水ノズル２３によりリントフィルタ２２の水洗いが自動的に実行されるもので、ヒートポンプ機構の動作停止はもとより送風ファン２１も停止して所謂循環風路１３内の送風作用を停止した状態で、給水弁ユニット２５の注水管２４側を開放作動して送水がなされ、注水ノズル２３の開口部３５上方からフィルタ面に沿って水膜状に噴射注水が行なわれる。
【００２９】
ところで、リントを捕獲するリントフィルタ面は、ワイヤ部材３３を縦方向に張設したスリット状の細かい目とした形態にあるので、通常の格子状に構成されたフィルタ面のように異なる方向から絡みつく現象がなく、リントの絡まりも単純な引っ掛かり状態にある。このため、リントはワイヤ部材３３と同方向の上方からの噴射注水によりワイヤ部材３３から容易に外され下方に移動し、或いは落下して熱交換ダクト１６内を水と共に流下し、水抜き口２７からダクト排水管２８、排水弁２９、および主排水管１２に至る。しかるに、この主排水管１２には途中部位にフィルタ装置１１を介挿しているので、ここで流出してきたリントが捕獲回収され、水のみが機外に排出される。
【００３０】
なお、水洗い手段を加熱乾燥を行なう都度実行するので、リントが長期間に亘り大量に捕獲堆積した状態にて除去するに比し、少量のリントの絡まりを外すこととなり、その除去が容易にでき、それだけ確実にリントの清掃ができる点で有効である。また本実施例では、斯かる清掃行程が所定時間実行されると、注水停止とともに送風ファン２１のみが駆動され、所謂送風のみの行程が実行され循環風路１３内に送風される。この送風行程により、特に熱交換ダクト１６内における水洗いに伴なう周辺の湿気を払拭し、黴や雑菌の繁殖を防止するに有効である。この場合、ヒートポンプ機構を動作させると、蒸発器２０の周辺で結氷するおそれがあり、停止状態で送風運転のみで実行するのが好ましい。
【００３１】
そして、フィルタ装置１１により捕獲回収されたリントは、機外からフィルタ部材３０を適宜に挿脱して容易に取除くことができる。また、フィルタ部材３０を挿脱するフィルタケース３１は、主排水管１２との接続部位から上方向に傾斜して機外たる筐体１の前面に開口しているので、排水系統の残水がフィルタ部材３０を取り出した際等に飛び出すことがない。
【００３２】
上記第１実施例によれば、次のような効果を奏する。
洗濯行程等で発生したリントを、乾燥時における乾燥風が循環する循環風路１３内で捕獲し、捕獲したリントフィルタ面に沿って注水してリントを洗い流すようにした。従って、従来のように広く拡散注水する必要もないので、その水洗い手段を構成する注水ノズル２３も扁平小型化できるとともに、またこの注水手段をリントフィルタ面と対向位置で離間して設ける必要もないため、リントフィルタ２２も含め全体にコンパクトな構成にてリントの捕獲および清掃を自動的にできる機能を備えた洗濯乾燥機を提供できる。
【００３３】
このため、リントフィルタ２２と共に水洗い手段は筐体１内の循環風路１３やヒートポンプ機構等が配備された狭いスペースにも効果的に配設できるとともに、上記の如く捕獲したリントを自動的に清掃できるので、例えば取扱い上リントフィルタ２２や水洗い手段等を筐体１の前面近くに設けたり、延いては洗濯乾燥機の設置場所に対しても制約を受けるなどの憂いもなく、本来の最適な場所に配置できてリントの捕獲性能も良好に維持でき、且つ設計的自由度も大きくて無理のない設計製造が可能となる。しかして、熱エネルギーの効率化を図るべき乾燥風をドラム４に循環供給する循環風路１３を備えた構成の洗濯乾燥機に好適に採用できる。
【００３４】
また、上記実施例では加熱乾燥を実行する都度、且つその終了に続いて水洗い手段を実行しリントの清掃を行なうようにした。こうすることにより、リントが大量にして堅く複雑に絡みつく以前に水洗いするので、ワイヤ部材３３に捕獲されたリントを容易に外すことができ確実に水洗いできる点で有効である。しかも、ワイヤ部材３３は細い線材を縦方向（上下方向）に張設した構成なので、これと同方向とするリントフィルタ面に沿った噴射注水により容易に除去できる。
【００３５】
そして、上記水洗いは送風を停止した状態で行なうので、水の飛沫やリントが下流側に流れたり、リントが外れ難いといった事態を回避できる。また、この水洗いされたリントは、水と共に機外に排出される前段に機外から挿脱可能に清掃ができるフィルタ装置１１にて捕獲回収可能としたので、排水場所を詰まらせたり汚したりするおそれがない。
更に上記実施例では、水洗い手段による清掃行程を終了後、送風ファン２１による送風運転のみを実行するようにしたので、注水による周辺の湿気を払拭して乾燥させることができ、黴や雑菌の発生を抑え衛生的に維持できる。
【００３６】
なお、上記実施例ではリントの水洗い手段は常に加熱乾燥の終了後に実行し、且つ上記した利点を有するが、これに限らず、例えば加熱乾燥の行程途中に付加した制御としてもよく、この場合、リントが多量に発生しても風量の低下もなく、リントの捕獲と清掃が確実に行なえる利点を有する。また、リントフィルタ２２は細いワイヤ部材３３を縦方向に張設したが、補強のために横桟を設けて支持する構成としてもよい。但し、横桟が多くなるとリントが複雑に絡まるなどして外れ難くなるので、横桟は極力少なくして縦方向を主体とした捕獲用のフィルタ面を構成するのが望ましい。
【００３７】
その他、図１において槽排水管１０に設けた排水弁９は、フィルタ装置１１より下流側に位置して主排水管１２に設けてもよい。この場合、槽排水管１０から洗いやすすぎなどで生じた一部のリントが排水とともに流出することになるが、フィルタ装置１１にてリントが捕獲された後、該排水弁９を経て機外に排水されるので、排水弁９にリントが詰まるおそれを回避できる。また、本実施例における循環風路１３を流れる乾燥風は、ドラム４の前面の大きな開口を利用して効率よく循環供給できる点で有効であるが、反矢印方向の流れとして乾燥風をドラム４の背部から供給するように変更して実施することも可能である。
【００３８】
（変形例）
上記実施例に対し、図７は変形例を示すもので、特には上記リントフィルタ２２に代えて異なる構成のリントフィルタ３６を採用したもので、他の構成は上記実施例と共通である。その図７（ａ）は、全体の斜視図であるのに対し、同図（ｂ）は同図（ａ）のＡ−Ａ線に沿って切断して示す断面図で、図示するように該リントフィルタ３６の外郭も矩形状の枠部３７により形成され、その上流側に面してフィルタ面となすワイヤ部材３８が設けられた構成としている。
【００３９】
このワイヤ部材３８は、上記実施例と同様に縦方向に多数配列されていて、具体的には各ワイヤ部材３８の上端部を上枠部３７ｂにモールド成形或いは溶着手段等により固着し、下端部を自由状態とした所謂上端部を片持ち支持して下端部をそのまま垂下した状態の構成としたものである。但し、ワイヤ部材３８は上記実施例の線材より強靭な例えば金属線にて形成され、容易に塑性変形しない剛性を備えたものとしている。そして、ワイヤ部材３８の下端部である自由端部は下枠部３７ａとは離間した状態に保持されるように、該下枠部３７ａは同図（ｂ）に示す断面形状から理解できるように上下左右とも上枠部３７ｂのほぼ半分にして、上流側に面する部位においてワイヤ部材３８と隙間Ｓを確保した構成にある。
【００４０】
しかして、この構成によれば上記実施例の作用効果に加え、片持ち支持されたワイヤ部材３８の垂下した自由端部は、最も近接した下枠部３７ａとも隙間Ｓを有して離間しているので、ワイヤ部材３８に捕獲されたリントは特にその下端部から容易に除去できる。従って、このリント捕獲面であるフィルタ面に沿って注水ノズル２３から噴射注水されることによって、直ちに離脱するリントに加えて全体に下方に移動する傾向が強いリントが自由端部から抜けるように外される。また、このように下方のリントが離脱すれば上部のリントも外れ易くなり、一層リントの除去性能が向上し清掃が確実に行なわれる点で有利である。
【００４１】
（第２の実施の形態）
図８，９は本発明の第２実施例を示したもので、上記実施例と実質的に同一部分には同一符号を付して説明を省略し、異なる部分につき説明する。
図８は図１相当図で、図９は要部たる蒸発器２０の拡大斜視図で、このものは上記第１実施例に対し蒸発器２０にも噴射注水してリントの除去を可能とした水洗い手段を付加したことを特徴とするものである。すなわち、図８に示すように熱交換ダクト１６において、蒸発器２０の上流側に対してもリントフィルタ２２の注水ノズル２３と同様の注水ノズル３９を設けた構成にある。
【００４２】
しかして、この注水ノズル３９には、前記注水管２４から分岐した他の注水管４０が接続され、同様に給水弁ユニット２５により給水制御される。ところで、蒸発器２０の基本的構成としては、図９に拡大して示すように一般的に周知の如く放熱用の多数のフィン４１と冷媒用のチューブ４２とを交差状態に構成してなるもので、その縦列状態の多数のフィン４０による上流側端面２０ａにもリントが付着するおそれがある。それは、前段に位置する前記リントフィルタ２２のワイヤ部材３３によるスリット状の目（所謂ピッチ）を細かくするほど、リントの捕獲性能は向上するが、風量が低下するため適正な風量を得るには相当に大きな通路（熱交換ダクト１６）を必要とするなど、実現化するには多くの難問を有する。
【００４３】
そこで、適正な風量を確保し得るスリット状の目とした場合、一部小さなリントが該リントフィルタ２２に捕獲されないで通過することが想定される。この場合、通過したリントは多数のフィン４１有する蒸発器２０の上流側端面２０ａに引っ掛かることが予測される。従って、前記注水ノズル２３を蒸発器２０の上流側端面２０ａに沿って、その上方から噴射注水することで、蒸発器２０のフィン４１に引っ掛かったリントを水洗いにて容易に除去できる。この洗い流されたリントは、リントフィルタ２２の下方を通り抜け水抜き口２７からダクト排水管２８を経て機外に排出される。但し、この蒸発器２０に対する水洗い手段としては、その上面も並列したフィン４１で構成されるので、上流側端面２０ａから若干内方に及ぶ範囲に亘り噴射注水してもリント除去に有効である。
【００４４】
なお、図８において、図１の２個の排水弁９，２９に対し１個の排水弁４３を槽排水管１０とダクト排水管２８との合流点に設けている点で異なるが、この排水弁４３は２連式の弁機構を備えたもので、槽排水管１０およびダクト排水管２８を夫々単独に開閉制御可能としたもので、結果的に上記実施例の２個の排水弁９，２９を個々に備えた構成と同様の機能を有する。また、本実施例では主排水管１２を直接機外に導出した配管構成としているが、上記実施例にて開示したフィルタ装置１１を介在した構成とすることも何ら問題なく実施できる。
【００４５】
しかして、この構成によれば上記実施例の作用効果に加え、リントフィルタ２２で捕獲できなかったリントが下流の蒸発器２０に引っ掛かった場合、他の水洗い手段としてその上流側端面２０ａに沿って上方から噴射注水する注水ノズル３９を設けたので、縦列は位置のフィン４１に引っ掛かったリントを水洗いにより速やかに除去することができる。しかも、上記実施例と同様の扁平な注水ノズル３９を採用して上方から注水する構成なので、斯かる水洗い手段もコンパクトに提供できとともに、リントフィルタ２２の水洗い手段と並設することもスペース的に問題なく容易に設置できる。
【００４６】
斯くして、リント全体に対する捕獲性能および清掃性能は向上し、更には蒸発器２０へのリント詰りも解消できるので、フィン４１やチューブ４２間を通り抜ける風量の低下も防止できるなどの著効を有する。但し、蒸発器２０に対する他の水洗い手段は、特に大きな制限もないので、広く噴射注水する他の構成の注水ノズルの構成としてもよい。
【００４７】
なお、本発明は上記し且つ図面に示した各実施例に限定されることなく、例えば洗濯槽として横軸周りのドラムに限らず、縦軸周りの洗濯槽を備えた洗濯乾燥機でも採用できる。また、循環風路の具体構成や乾燥風などの循環空気の流れ方向と、これに伴うヒートポンプ機構の配置構成など、実施に際して本発明の要旨を逸脱しない範囲で具体的に種々変更して実施できるものである。
【図面の簡単な説明】
【００４８】
【図１】本発明の第１実施例のドラム式洗濯乾燥機の全体構成を示す縦断側面図
【図２】リントフィルタの斜視図
【図３】リントフィルタの要部の拡大斜視図
【図４】要部の拡大断面図
【図５】注水ノズルの拡大斜視図
【図６】注水ノズルの拡大断面図
【図７】変形例を示すリントフィルタの（ａ）斜視図、および（ｂ）断面図
【図８】本発明の第２実施例を示す図１相当図
【図９】蒸発器の拡大斜視図
【符号の説明】
【００４９】
図面中、１は筐体、３は水槽、４はドラム、１０は槽排水管、１１はフィルタ装置、１２は主排水管、１３は循環風路、１４は給気ダクト、１５は排気ダクト、１６は熱交換ダクト、１８は圧縮機、１９は凝縮器、２０は蒸発器、２１は送風ファン、２２，３６はリントフィルタ、２３は注水ノズル、４０はフィンおよび４１チューブを示す。
【図１】
2006187449.tif 000003
【図２】
2006187449.tif 000004
【図３】
2006187449.tif 000005
【図４】
2006187449.tif 000006
【図５】
2006187449.tif 000007
【図６】
2006187449.tif 000008
【図７】
2006187449.tif 000009
【図８】
2006187449.tif 000010
【図９】
2006187449.tif 000011